(57)【要約】【課題】  光学ファインダの光学系を一部共用とするビデオライトにおいて、利便性を向上する。【解決手段】  光学ファインダとＬＣＤモニタと被写体を照明する手段とを持ち、照明光学系とファインダ光学系が一部レンズを共用し、スイッチが照明ポジションにある時にはスイッチ部材の一部がファインダ接眼部をふさぐ事を特徴とする。【選択図】  図２
2007034176.tif 000002
【特許請求の範囲】
【請求項１】
光学ファインダとＬＣＤモニタと被写体を照明する手段とを持ち、照明光学系とファインダ光学系が一部レンズを共用し、スイッチが照明ポジションにある時にはスイッチ部材の一部がファインダ接眼部をふさぐ事を特徴とする撮像装置。
【請求項２】
前記スイッチが照明ポジションにある時には、ＬＣＤモニタの表示を自動で駆動させる事を特徴とする請求項１記載の撮像装置。
【請求項３】
前記スイッチが照明ポジションにある時には、カメラの信号処理動作を変更する事を特徴とする請求項１記載の撮像装置。
【発明の詳細な説明】
【技術分野】
【０００１】
本発明は光学ファインダとＬＣＤモニタと被写体を照明する手段とを持つ撮像装置に関する。
【背景技術】
【０００２】
図７はデジタルカメラの最も一般的な外観を示す図であり図７(a)は正面図、図７(b)は背面図である。１０１は撮影レンズ、１０２aは光学ファインダ窓、１０２ｂは光学ファインダ接眼部、１０３は照明用窓、１０４はＬＣＤモニタ、１１５はズーム操作スイッチ、１０６は照明操作スイッチである。屋外等の明るい場所での撮影では光学ファインダを使用し、照明が必要となる暗い場所での撮影ではＬＣＤモニタ１０４を使用する場合が一般的である。
【０００３】
図８はファインダ付近内部の断面図であり、１０５はファインダ対物レンズ、１０６a、１０６ｂはファインダズームレンズ、１０７はファインダ接眼レンズ、１０８a、１０８ｂは照明用レンズ、１０９はLED発光素子、１１０は基板である。ファインダズームレンズ１０６a、１０６ｂが撮影レンズ１０１のズーム動作と連動して動くことにより、ファインダ像が変倍する構造になっている。
【０００４】
又、LED発光素子１０９の照明光は、照明用レンズ１０８a、１０８ｂにより被写体を照明する。
【０００５】
LED発光素子１０９はオートフォーカスの為の補助光や、ストロボ撮影時の赤目緩和の為の補助光としての利用が一般的であったが、近年のLEDの高輝度化により、静止画撮影の照明や、連続点灯させての動画撮影の照明としての利用が可能となってきている。
【０００６】
一方、照明用レンズ１０８aとファインダの対物レンズ１０５を設置する場所は、撮影レンズと同一方向を向いた本体正面で、かつ両手で保持した状態でも隠されないように配置する必要があり、小型化を進める上で設計上の障害になっていた。
【０００７】
そこで、照明機能と光学ファインダ機能を確保したまま装置の小型化を実現し、さらに照明光に撮影レンズと連動したズーム機能を持たせる為に、特開平９−２５８０９４の提案がされている。
【０００８】
この提案により、照明用レンズ１０８aとファインダ対物レンズ１０５の共用が可能となり小型化が可能となる。
【０００９】
特開平９−２５８０９４では、ファインダの近傍に、オートフォーカス用の補助投光素子を設置してある。その様子を図９（Ａ）、図９（Ｂ）に示す。
【００１０】
このファインダ光学系は、ズームレンズのズーミングに連動して視野倍率が変動する変倍ファインダである。対物側レンズは、移動可能な２枚の変倍レンズ（対物光学系）１２１、１２２からなり、接眼側レンズは、１枚の接眼レンズ（接眼光学系）１２３からなる。変倍レンズ１２２と固定レンズ１２３との間には、対物レンズ１２１、１２２で形成された被写体像を成立させるプリズム１２４、およびハーフミラー１２５が設置されている。撮影者は、変倍レンズ１２１、１２２で形成され、プリズム１２４で正立された被写体像を、固定レンズ１２３を介して観察する。さらにファインダ光学系の光路外に、該ハーフミラー１２５に向けて、発光素子（例えばIRED）１２６が配設されている。発光素子１２６の前面には、縞パターン（コントラストパターン）を形成するためのパターンプレート１２７が配設されている。
【００１１】
変倍レンズ１２１、１２２は、連動機構（図示せず）を介してズームレンズのズーミングに連動し、ファインダの視野倍率をズームレンズの焦点距離に応じて変更している。
【００１２】
次に、特開平９−２５８０９４の光路を、図９を参照して説明する。プリズム１２４は、３個の三角プリズムで構成されている。変倍レンズ１２１、１２２を通ってプリズム１２４の面１２４ａから入射した光線は、斜面１２４ｂで９０゜下方に反射され、斜面１２４ｃで紙面に対して裏側方向に反射され、斜面１２４ｄで上方に反射され、斜面１２４ｅで９０゜右方向に反射されて面１２４ｆから射出する。そして、ハーフミラー１２５および固定レンズ１２３を通って撮影者の眼に入る。
【００１３】
一方、発光素子１２６から発せられた補助光は、ハーフミラー１２５でプリズム１２４に向けて反射され、面１２４ｆからプリズム１２４内に入射して、上記とは逆の光路を通って面１２４ａから射出する。そして、変倍レンズ１２２、１２１を通ってカメラから射出し、被写体を照射する。よって発光素子１２６から投光された補助光は、変倍レンズ１２２、１２１によって集光され、被写体に照射される。
【００１４】
図１０はデジタルカメラ等の撮像装置の概略構成を示すブロック図であり、３０１は撮影レンズ群、３０２は撮像素子、３０３はカメラ信号処理部、３０４はＬＣＤモニタ、３０５は記録部、３０６は制御用マイクロコンピュータ（以下、制御マイコンという）、３０７は操作スイッチ、３０８は照明操作スイッチ、３０９はズームスイッチ、３１０は撮影記録スイッチ（レリーズスイッチ）、３１１は照明装置である。
【００１５】
レンズ群３０１を介して被写体像が撮像素子３０２の受光面上に結像される。この撮像素子３０２は、被写体像に応じた電気信号を出力し、この電気信号は、カメラ信号処理部３０３に入力される。
【００１６】
このカメラ信号処理部３０３においては、上記電気信号が所定形態の映像信号に変換され、この映像が信号は、ＬＣＤモニタ３０４、記録部３０５に入力される。記録部３０５では入力された映像信号をメモリカード等の記録媒体へ記録する。また、ＬＣＤモニタ３０４には映像信号が可視像として表示される。
【００１７】
撮影者はＬＣＤモニタ３０４や、不図示の光学ファインダで撮影する像を確認しつつ操作スイッチ３０７を操作する。この操作スイッチ３０７の操作内容を示すデータは制御マイコン３０６により、具体的な処理内容を示すコマンドにブレークダウンされて後、装置各部に供給される。例えば、ズーム操作スイッチ３０９を操作すると、制御マイコン３０６から、撮影レンズ群３０１へズームレンズを動かす指示が行われ、これを受けて撮影レンズ群３０１はズーム動作を行う。又、照明操作スイッチ３０８を操作すると、制御マイコン３０６から、照明装置３１１へ発光の指示が行われ、これを受けて照明装置３１１はLED発光素子の点灯を行う。又、撮影記録スイッチ（レリーズスイッチ）３１０を操作すると、制御マイコン３０６から、記録部３０５へ記録の指示が行われ、これを受けて記録部３０５は映像信号を記録する。
【特許文献１】特開平９−２５８０９４号公報
【発明の開示】
【発明が解決しようとする課題】
【００１８】
しかしながら、上述した従来例にあっては以下のような問題点があった。
【００１９】
可視光波長の照明を行う場合、光学系での反射光により接眼レンズ側への光もれが発生し、光学ファインダが使用できない問題がある。
【００２０】
又、別途ＬＣＤモニタを作動させたり、カメラ信号処理を照明撮影に適したモードに変更する等が必要になり、操作が煩雑になるという問題があった。
【００２１】
本発明は上述した従来の技術の有するこのような問題点に鑑みてなされたものであり、その第一の目的とするところは、照明時には光学ファインダが使用できない事を使用者に明確に知らせるものである。
【００２２】
また、本発明の第二の目的とするところは、照明モードへの切替えの利便性が高い装置を提供しようとするものである。
【課題を解決するための手段】
【００２３】
上記第一の目的を達成するために請求項１記載の撮像装置は、光学ファインダとＬＣＤモニタと被写体を照明する手段とを持ち、照明光学系とファインダ光学系が一部レンズを共用し、スイッチが照明ポジションにある時にはスイッチ部材の一部がファインダ接眼部をふさぐ事を特徴とする。
【００２４】
上記第二の目的を達成するために請求項２記載の撮像装置は、前記スイッチが照明ポジションにある時には、ＬＣＤモニタの表示を自動で駆動させる事を特徴とする。
【００２５】
又、上記第二の目的を達成するために請求項３記載の撮像装置は、前記スイッチが照明ポジションにある時には、カメラの信号処理動作を変更する事を特徴とする。
【発明の効果】
【００２６】
本発明によれば、照明光学系とファインダ光学系が一部レンズを共用し、スイッチが照明ポジションにある時にはスイッチ部材の一部がファインダ接眼部をふさぐ事ことにより照明時には光学ファインダが使用できない事を使用者に明確に知らせる事が可能となる。
【００２７】
また、前記スイッチが照明ポジションにある時には、ＬＣＤモニタの表示を自動で駆動させ、さらにカメラの信号処理動作を自動で変更する事により、照明モードへの切替えの利便性が高い装置を提供する事が可能となる。
【発明を実施するための最良の形態】
【００２８】
以下、本発明の各実施の形態を図面に基づき説明する。
【実施例１】
【００２９】
（可動ミラー方式）
図１はデジタルカメラの最も一般的な外観を示す図であり図１(a)は正面図、図１(b)は背面図である。２０１は撮影レンズ、２０２aは光学ファインダ窓（照明用窓兼用）、２０２ｂは光学ファインダ接眼部、２０３は照明操作スイッチ、２０４はＬＣＤモニタ、２０５はズーム操作スイッチである。
【００３０】
図２はファインダ付近内部の断面図であり、２０５はファインダ対物レンズ、２０６a、２０６ｂはファインダズームレンズ、２０７はファインダ接眼レンズ、２０８a、２０８ｂは照明用レンズ、２０９はLED発光素子、２１０は基板、２１１はミラー、である。
【００３１】
ミラー２１１は回転軸２１１aを中心に回動する構造になっており、通常はバネ（不図示）により図２の位置に保持されている。
【００３２】
また、ファインダズームレンズ２０６a、２０６ｂが撮影レンズ２０１のズーム動作と連動して動くことにより、ファインダ像が変倍する構造になっている。
【００３３】
図３は照明時の内部断面図であり、切り替えスイッチ２０３を操作する事により、光学ファインダ接眼部２０２ｂが塞がれ、ミラー押し爪２０３aによりミラー２１１が回動する。
【００３４】
また、切り替えスイッチ２０３が図３の位置にあるときにLED発光素子２０９が点灯し、照明光は照明用レンズ２０８a、２０８ｂ、ミラー２１１、ファインダズームレンズ２０６a、２０６ｂ、ファインダ対物レンズ２０５を通って被写体へ照射される。
【００３５】
図４は本実施の形態の動作を示すフロー図であり、図９の構成を用いて説明する。照明スイッチ３０８がONになると（S1）、制御マイコン３０６は、LCDモニタ３０４の状態をチェックし（S2）LCDモニタがOFFの場合は、自動的にLCDモニタをONにする。（S3）さらに、カメラ信号処理３０３を照明モード（照明撮影に適した感度、シャッタースピード設定）に変更する（S4）。
【実施例２】
【００３６】
（LEDユニット移動方式）
図５，６を用いて、本発明の第二の実施の形態の撮像装置を説明する。
【００３７】
図５は第二の実施の形態のファインダ付近内部の断面図であり、２０５はファインダ対物レンズ、２０６a、２０６ｂはファインダズームレンズ、２０７はファインダ接眼レンズ、２０８は照明用レンズ、２０９はLED発光素子、２１０は基板である。
【００３８】
照明用レンズ２０８、LED発光素子２０９、基板２１０は、切り替えスイッチ２０３に一体的に保持されている。
【００３９】
図６は照明時の内部断面図であり、切り替えスイッチ２０３を操作する事により、光学ファインダ接眼部２０２ｂが塞がれ、照明用レンズ２０８、LED発光素子２０９、基板２１０が図の位置に移動する。
【００４０】
また、切り替えスイッチ２０３が図６の位置にあるときにLED発光素子２０９が点灯し、照明光は照明用レンズ２０８、ファインダズームレンズ２０６a、２０６ｂ、ファインダ対物レンズ２０５をとおして被写体へ照射される。
【００４１】
又、カメラの動作は第一の実施の形態と同じであるため省略する。
【００４２】
以上のように本実施の形態では、第一の実施の形態でのミラー２１１の削除が可能となる。
【図面の簡単な説明】
【００４３】
【図１】第一の実施の形態の外観を示す図、(a)は正面図、(b)は背面図である。
【図２】ファインダ付近内部の断面図である。
【図３】照明時の内部断面図である。
【図４】本実施の形態の動作を示すフロー図である。
【図５】第二の実施の形態のファインダ付近内部の断面図である。
【図６】第二の実施の形態の照明時の内部断面図である。
【図７】従来のデジタルカメラの外観を示す図。 (a)は正面図、 (b)は背面図。
【図８】従来のファインダ付近内部の断面図である。
【図９】照明光学系とファインダ光学系が一部レンズを共用する従来例を示す図である。
【図１０】撮像装置の概略構成を示すブロック図である。
【符号の説明】
【００４４】
１０１  撮影レンズ
１０２a  光学ファインダ窓
１０２ｂ  光学ファインダ接眼部
１０３  照明用窓
１０４  ＬＣＤモニタ
１１５  ズーム操作スイッチ
１０６  照明操作スイッチ
１０８、１０５  ファインダ対物レンズ
１０６a、１０６ｂ  ファインダズームレンズ
１０７  ファインダ接眼レンズ
１０８a、１０８ｂ  照明用レンズ
１０９  LED発光素子
１１０  基板
１２１、１２２  変倍レンズ
１２３  接眼レンズ
１２４  プリズム
１２５  ハーフミラー
１２６  発光素子
１２７  パターンプレート
２０１  撮影レンズ
２０２a  光学ファインダ窓（照明用窓兼用）
２０２ｂ  光学ファインダ接眼部
２０３  照明操作スイッチ
２０４  ＬＣＤモニタ
２１５  ズーム操作スイッチ
２０５  ファインダ対物レンズ
２０６a、２０６ｂ  ファインダズームレンズ
２０７  ファインダ接眼レンズ
２０８a、２０８ｂ  照明用レンズ
２０９  LED発光素子
２１０  基板
２１１  ミラー
３０１  撮影レンズ群
３０２  撮像素子
３０３  カメラ信号処理部
３０４  ＬＣＤモニタ
３０５  記録部
３０６  制御用マイクロコンピュータ（以下、制御マイコンという）
３０７  操作スイッチ
３０８  照明操作スイッチ
３０９  ズームスイッチ
３１０  撮影記録スイッチ（レリーズスイッチ）
３１１  照明装置
【図１】
2007034176.tif 000003
【図２】
2007034176.tif 000004
【図３】
2007034176.tif 000005
【図４】
2007034176.tif 000006
【図５】
2007034176.tif 000007
【図６】
2007034176.tif 000008
【図７】
2007034176.tif 000009
【図８】
2007034176.tif 000010
【図９】
2007034176.tif 000011
【図１０】
2007034176.tif 000012